(57)【要約】【課題】表示ユニットの組立性及び分解性に優れ、リサイクルを容易に行えるようにする。【解決手段】表示ユニットＢの基部の両側部に、回転軸２８と、当該回転軸２８を中心とした円弧状の摺接部２９Ａを有する回転支承部２９を設け、装置本体Ａの表示ユニット装着部８の両側壁部に、上側軸受１２と、下側軸受１３と、これらの上、下側軸受１２，１３間の軸回転空間からなる軸誘込部１４を設け、回転軸２８と回転支承部２９を軸誘込部１４へ挿入し、回転軸２８を上側軸受１２に接触させ、表示ユニットＢを、回転軸２８を支点として回転させて、回転支承部２９の摺接部２９Ａを下側軸受１３の受け部１３ａに摺接させて表示ユニットＢの回転支点部Ｆを形成するようにした。【選択図】図１３
2007310070.tif 000002
【特許請求の範囲】
【請求項１】
装置本体に表示ユニットを回転支点部で回動自在に支承し、当該表示ユニットに設けられたユニット側摺動部を、前記装置本体に設けられた装置本体側摺動部に圧接して、当該圧接部分の摩擦力により前記表示ユニットを所定角度に回動保持するようにした電子機器であって、
前記回転支点部は、前記表示ユニットの基部に、回転軸と、当該回転軸を中心とした円弧状の摺接部を有する回転支承部を設け、前記装置本体に、前記回転軸を受ける一方の軸受と、前記摺接部を受ける受部を有する他方の軸受と、両軸受間の軸回転空間からなる軸誘込部を設け、前記回転軸及び前記回転支承部を前記軸誘込部へ挿入し、前記回転軸を前記一方の軸受に接触させ、前記表示ユニットを、前記回転軸を支点として回転させて、前記摺接部を前記受部に摺接させて構成するようにしたことを特徴とする電子機器。
【請求項２】
前記表示ユニットのケースの基部の両側部に、前記回転軸と前記回転支承部を設け、前記装置本体のケースに表示ユニット装着部を設け、この表示ユニット装着部の両側壁部に前記一方の軸受と前記他方の軸受と前記軸誘込部を設けると共に、前記他方の軸受を前記一方の軸受に対して前記表示ユニット装着部の中心側にずらすようにしたことを特徴とする請求項１に記載の電子機器。
【請求項３】
ストッパー手段により前記表示ユニットの脱落を阻止するようにしたことを特徴とする請求項１又は請求項２に記載の電子機器。
【請求項４】
前記表示ユニット装着部に収容凹部を設け、この収容凹部に爪移動部を設け、この爪移動部の底部に開口部を設け、前記表示ユニットのケースに、組立て時に前記爪移動部に挿入される挿入部を形成し、この挿入部に、回転係止爪部を有するばね片部を形成し、前記回転係止爪部を前記爪移動部に挿入して、この回転係止爪部を前記開口部の一端部に掛けることで前記ストッパー手段を構成するようにしたことを特徴とする請求項３に記載の電子機器。
【請求項５】
前記ユニット側摺動部は、前記表示ユニットにダンパー装着部を設けると共に、このダンパー装着部にダンパーを着脱可能に装着して構成してあり、前記装置本体側摺動部は、前記ダンパーが圧縮状態で摺動するダンパー受側摺動部と、前記表示ユニットの姿勢が最大角度になった場合に、前記ダンパーの変形を開放する一方のダンパー開放部と、前記表示ユニットの姿勢が最小角度になった場合に、前記ダンパーの変形を開放する他方のダンパー開放部とで構成してあることを特徴とする請求項１乃至請求項４のいずれかの一つに記載の電子機器。
【請求項６】
前記ダンパー装着部は、凹部と、この凹部の底部に立設された装着軸とで構成してあり、前記ダンパーは弾性を有する摩擦部材から成って、その一端部に装着孔が設けてあり、前記ダンパーを前記凹部に挿入し、前記装着孔に前記装着軸を挿入し、前記ダンパーの一部を前記凹部より外に突出させるようにしたことを特徴とする請求項５に記載の電子機器。
【発明の詳細な説明】
【技術分野】
【０００１】
本発明は、情報通信における通信端末装置としての電子機器、その他の電子機器であって、表示ユニットを備えた電子機器に関する。
【背景技術】
【０００２】
一般に、液晶等による表示ユニットを備えた電子機器においては、表示ユニットをオペレータの視野に適した角度に調整することができるものがある。
【０００３】
そして、表示ユニットを所定の角度にチルトさせる機構が多用されており、その手段にはクリックにより段階的に角度を保つものがあるが、どの位置でも止められる無段階の方式が好んで使用されている。
【０００４】
表示ユニットのチルト角を無段階に設定する機構としては、ゴム等の摩擦部材を係合部材に所定の圧力で押し当てて設定したチルト角度で保持する力を得ているものが多い。
【０００５】
そして、摩擦部材を係合部材に押し付ける手段として、係合部材を摩擦部材の係合する面の反対側から常に一定の圧力で押し付けておくことにより、温度変化や経時変化による係合部材のへたり（劣化）や反り等を防いで押圧力の減少を無くし、結果として常に設定したチルト角度で保持する力を得ることができるようにしたものである。
【０００６】
例えば、弾性力を有する摩擦部材を、その摺動面部に一定の圧力で押し当てるために摩擦部材の弾性による撓み量の分だけ予めオーバーラップするように、表示ユニットのケースにビスで固定し、ケースと一体に形成したツバを摺動面部の裏側面に係合するように設置して、温度変化や経時変化により摩擦部材が撓んだり、反ったりして、押圧力が減少しないようにしている（特許文献１参照）。
【特許文献１】特開平５−１０８２０４号公報
【発明の開示】
【発明が解決しようとする課題】
【０００７】
上記した表示ユニットのチルト角を無段階に設定する機構にあっては、摩擦部材を表示ユニットのケースにビスで固定し、ケースと一体に形成したツバを摩擦部材の摺動面部の裏側面に係合するように設置しているために、部品点数が多く高価になり、さらに構造が複雑で組立性及び分解性が悪く、装置のリサイクルを容易に行うことができないという問題点があった。
【０００８】
本発明は上記の問題点を解決するものであり、その目的とするところは、表示ユニットを安定した動作で無段階にチルトさせることができ、組立性及び分解性に優れ、リサイクルを容易に行えるようになる電子機器を安価に提供することである。
【課題を解決するための手段】
【０００９】
上記の目的を達成するために、本発明に係る電子機器は、装置本体に表示ユニットを回転支点部で回動自在に支承し、当該表示ユニットに設けられたユニット側摺動部を、装置本体に設けられた装置本体側摺動部に圧接して、当該圧接部分の摩擦力により表示ユニットを所定角度に回動保持するようにした電子機器であって、回転支点部は、表示ユニットの基部の両側部に、回転軸と、当該回転軸を中心とした円弧状の摺接部を有する回転支承部を設け、装置本体に、回転軸を受ける一方の軸受と、摺接部を受ける受部を有する他方の軸受と、両軸受間の軸回転空間からなる軸誘込部を設け、回転軸及び回転支承部を軸誘込部へ挿入し、回転軸を一方の軸受に接触させ、表示ユニットを、回転軸を支点として回転させて、摺接部を受部に摺接させて構成するようにしたものである。
【００１０】
かかる構成により、表示ユニットを、装置本体に対して垂直に保持し、表示ユニットの回転軸及び回転支承部を装置本体の軸誘込部に挿入し、回転軸を一方の軸受に接触させ、表示ユニットを、回転軸を支点として回転させ、回転支承部の摺接部を受部に摺接させることで回転支点部を形成することができ、また、上記手順を逆に行うことにより表示ユニットを装置本体から簡単に分解することができる。このように、組立性及び分解性が良く、リサイクルを容易に行うことができる。
【００１１】
また、本発明に係る電子機器は、上記した本発明に係る電子機器において、表示ユニットのケースの基部の両側部に、回転軸と回転支承部を設け、装置本体のケースに表示ユニット装着部を設け、この表示ユニット装着部の両側壁部に一方の軸受と他方の軸受と軸誘込部を設けると共に、他方の軸受を一方の軸受に対して表示ユニット装着部の中心側にずらすようにしたものである。
【００１２】
かかる構成により、装置本体のケース（例えば、本体上部ケース）を作成する金型において分割等の必要性を無くすことができて、製作コストを安価にすることができる。
【００１３】
また、本発明に係る電子機器は、上記した本発明に係る電子機器において、ストッパー手段により表示ユニットの脱落を阻止するようにしたものである。
【００１４】
かかる構成により、ストッパー手段により表示ユニットの脱落を阻止することができる。
【００１５】
また、本発明に係る電子機器は、上記した本発明に係る電子機器において、表示ユニット装着部に収容凹部を設け、この収容凹部に爪移動部を設け、この爪移動部の底部に開口部を設け、表示ユニットのケースに、組立て時に爪移動部に挿入される挿入部を形成し、この挿入部に回転係止爪部を有するばね片部を形成し、回転係止爪部を爪移動部に挿入して、この回転係止爪部を開口部の一端部に掛けることでストッパー手段を構成するようにしたものである。
【００１６】
かかる構成により、ストッパー手段により表示ユニットの脱落を阻止することができるし、また、表示ユニットを装置本体から取外す際は、回転係止爪部を保持するばね片部のばね性を利用し、表示ユニットの回転係止爪部をケースの内部方向へ押し、表示ユニットの回転係止爪部を、開口部の一端部（例えば、上部ケース側係止部）を避けながら手前に引くことにより簡単に分解することができる。このように、組立性及び分解性が良く、リサイクルを容易に行うことができる。
【００１７】
また、本発明に係る電子機器は、上記した本発明に係る電子機器において、ユニット側摺動部は、表示ユニットにダンパー装着部を設けると共に、このダンパー装着部にダンパーを着脱可能に装着して構成してあり、装置本体側摺動部は、ダンパーが圧縮状態で摺動するダンパー受側摺動部と、表示ユニットの姿勢が最大角度になった場合に、ダンパーの変形を開放する一方のダンパー開放部と、表示ユニットの姿勢が最小角度になった場合に、ダンパーの変形を開放する他方のダンパー開放部とで構成したものである。
【００１８】
かかる構成により、ダンパーはダンパー受側摺動部により圧縮変形を受けるために、その反力による摩擦力が、表示ユニットが重力により倒れないように作用し、無段階で表示ユニットの使用者に対する角度を保つことができる。そして、表示ユニットの姿勢が最大角度になると、ダンパーが一方のダンパー開放部に至り圧縮変形より開放されるし、表示ユニットの姿勢が最小角度になると、ダンパーが他方のダンパー開放部に至り圧縮変形より開放される。このように、表示ユニットを安定した動作で無段階にチルトさせることができる。
【００１９】
また、従来にように摩擦部材を表示ユニットのケースにビスで固定し、ケースと一体に形成したツバを摩擦部材の摺動面部の裏側面に係合するように設置することなく、ユニット側摺動部は、表示ユニットにダンパー装着部を設ける共に、このダンパー装着部にダンパーを着脱可能に装着して構成してあるために、部品点数が少なく安価となり、さらに構造が簡単で組立性及び分解性が良く、リサイクルを容易に行うことができる。
【００２０】
また、本発明に係る電子機器は、上記した本発明に係る電子機器において、ダンパー装着部は、凹部と、この凹部の底部に立設された装着軸とで構成してあり、ダンパーは弾性を有する摩擦部材から成って、その一端部に装着孔が設けてあり、ダンパーを凹部に挿入し、装着孔に前記装着軸を挿入し、ダンパーの一部を凹部より外に突出させるようにしたものである。
【００２１】
かかる構成により、凹部にダンパーを挿入して装着孔に装着軸を挿入してダンパーをダンパー装着部に装着することができるし、上記手順を逆に行うことによりダンパーをダンパー装着部から簡単に分解することができる。このように、組立性及び分解性が良く、リサイクルを容易に行うことができる。
【発明の効果】
【００２２】
本発明に係る電子機器によれば、表示ユニットを安定した動作で無段階にチルトさせることができるし、部品点数が少なく安価になり、さらに構造が簡単で組立性及び分解性が良く、リサイクルを容易に行うことができる。
【発明を実施するための最良の形態】
【００２３】
次に、本発明に係る電子機器の実施の形態を、図面を参照して説明する。
【００２４】
図１は本発明の電子機器としての通信端末装置の斜視図、図２は同通信端末装置の本体上部ケースの斜視図、図３は同本体上部ケースにおける表示ユニット装着部の平面図、図４は本発明の電子機器としての通信端末装置の表示ユニットの斜視図、図５は同表示ユニットの分解状態の斜視図である。なお、図面において、説明の便宜上、前後方向、左右方向及び上下方向を図示のように設定する。
【００２５】
図１に示すように、本発明に係る電子機器の実施の形態としての通信端末装置は、装置本体Ａと表示ユニットＢと受話器Ｃとより構成してあり、装置本体Ａは、ケースとしての本体上部ケース１に局線ボタンユニット５とダイヤルボタンユニット６とを嵌め込んで操作部Ａ１とし、ラバーコンタクトとプリント回路板（いずれも図示せず）を中にして本体下部ケース２を本体上部ケース１に装着することで組立ててある。
【００２６】
本体上部ケース１は、図２に示すように、その後部に表示ユニットＢを装着するための表示ユニット装着部８を有している。この表示ユニット装着部８は収容凹部１０を備えており、この収容凹部１０は、その底面部１０ａに略直角な立壁部１０ａと左右の側壁部１０ｃ，１０ｄを有しており、この収容凹部１０の中央部には爪移動部１１が形成してある。
【００２７】
この爪移動部１１は、収容凹部１０の底面部１０ａに形成された凹部で形成してあり、爪移動部１１の底部１１ａは円弧形状にしてあって、この底部１１ａには開口部１１ｂが形成してあり、底部１１ａには、開口部１１ｂに並べて装置本体側摺動部であるダンパー受部９が形成してある。また、爪移動部１１は、その後側中央部に爪誘込部１１ｃを有している。
【００２８】
ダンパー受部９は、表示ユニット３の姿勢が最大角度になった場合に、後述するダンパー２６の変形を開放する一方のダンパー開放部である上側ダンパー開放部９ａと、表示ユニットＢの姿勢が最小角度になった場合に、ダンパー２６の変形を開放する他方のダンパー開放部である下側ダンパー開放部９ｃと，表示ユニットＢの姿勢が最小角度から最大角度の間でダンパー２６が圧縮状態で摺動するダンパー受側摺動部９ｂとが形成してある。
【００２９】
開口部１１ｂの後側辺縁部が上部ケース側係止部１１ｄにしてあり、また、開口部１１ａは、立壁部１０ａに形成された開口部１１ｂ−１に連なっていて、この開口部１１ｂ−１の辺縁部が係止部１１ｅにしてある。
【００３０】
収容凹部１０の左右の側壁部１０ｃ，１０ｄには、後述する表示ユニットＢの回転軸２８を受ける一方の軸受である上側軸受１２と、同様に回転支承部２９を受ける他方の軸受である下側軸受１３と、上側軸受１２と下側軸受１３との間の軸誘込部１４が設けてある。そして、図３に示すように、下側軸受１３は上側軸受１２に対して表示ユニット装着部８の中心側にずらしてある。
【００３１】
図５に示すように、表示ユニットＢは、表示窓２０ａを有するＬＣＤ上部ケース２０と、ＬＣＤカバー２１と、ＬＣＤ２２と、ＬＥＤプリント回路板２３と、ＬＣＤ接続ケーブル２４と、ＬＣＤ下部ケース２５と、ダンパー２６とから構成してある。
【００３２】
図４に示すように、ＬＣＤ上部ケース２０の左，右側部の下部には、上側軸受１２に着脱可能に支承される回転軸２８と、下側軸受１３に摺接される片状の回転支承部２９が設けてあり、この回転支承部２９の摺接部２９Ａは回転軸２８を中心とした円弧で形成してある。また、ＬＣＤ上部ケース２０の下部の後辺縁部２０ａには一対の切込み２０ｂが形成してある。
【００３３】
また、ＬＣＤ下部ケース２５の背面部の下部中央には、組立て時に、爪移動部１１に挿入される凸部から成る挿入部３０が形成してあり、この挿入部３０の表面部は爪移動部１１の円弧形状の底部１１ａに倣う円弧面にしてある。そして、この挿入部３０の中央部には片持ち片状のばね片部３１が形成してあり、ばね片部３１の先部には回転係止爪部３２が設けてある。また、回転係止爪部３２は本体上部ケース１の上部ケース側係止部１１ｄに掛けられることでストッパー手段を構成するようになる。
【００３４】
また、挿入部３０の右側面部にはダンパー装着部３３が設けてある。このダンパー装着部３３は，後部が開放された凹部３３ａと、この凹部３３ａの底部に立設けされた装着軸３３ｂとで構成してある。また、ＬＣＤ下部ケース２５の背面部の下部中央には、挿入部３０の下方に位置させて片状の一対のストッパー３４は設けてある。
【００３５】
図６に示すように、ダンパー２６は、弾性を有する摩擦部材（例えば、ゴム）から成り、このダンパー２６は、平坦面部２６ａと曲面状の摺動部２６ｂとの組み合わせで、所謂かまぼこ型をなしていて、その一端部には装着孔２６ｃが設けてある。
【００３６】
そして、表示ユニットＢは、ＬＣＤ上部ケース２０とＬＣＤ下部ケース２５とで、ＬＣＤカバー２１、ＬＣＤ２２、ＬＥＤプリント回路板２３及びＬＣＤ接続ケーブル２４を挟み込み、ＬＣＤ上部ケース２０の下部一対の切込み２０ｂにＬＣＤ下部ケース２５の一対のストッパー３４の前端部を挿入して上部ケース２０にＬＣＤ下部ケース２５を係止して組立ててある。この場合、ＬＣＤ上部ケース２０の表示窓２０ａにはＬＣＤ２２が表出していて、図７に示すように、表示部２７を形成している。
【００３７】
そして、ＬＣＤ下部ケース２５のダンパー装着部３３にはダンパー２６が装着してあり、この装着は凹部３３ａにダンパー２６を挿入し、装着孔２６ｃに装着軸３３ｂを挿入して行われており、ダンパー２６の一部としての摺動部２６ｂはダンパー装着部３３より外に突出していて、これらでユニット側摺動部が構成してある。
【００３８】
次に、表示ユニットＢの装置本体Ａへの組立を説明する。
【００３９】
図７において、先ず、表示ユニットＢの表示部２７を、本体上部ケース１の操作部Ａ１に対して垂直に保持し、表示ユニットＢの回転軸２８及び回転支承部２９を装置本体Ａの上側軸受１２と下側軸受１３との間の軸誘込部１４へ挿入し、図８に示す形態にする。
【００４０】
次に、図８の形態から表示ユニットＢを引き上げるようにして回転軸２８を上側軸受１２に接触させ、図９及び図１０に示す形態にする。なお、図１０は図９のＹ−Ｙ線に沿う断面図である。
【００４１】
次に、図１１において、表示ユニットＢを、回転軸２８を支点として装置本体Ａ後方へ回転させ、下側軸受１３の円弧状の受部１３ａに回転支承部２９の摺接部２９Ａを摺接させる。これにより、表示ユニットＢを前後方向に回転させる回転支点部Ｆが形成される。
【００４２】
同時に、図１２に示すように、表示ユニットＢに設けた回転係止爪部３２が本体上部ケース１の爪誘込部１１ｃからばね片部３１のばね性を利用し、爪移動部１１の開口部１１ｂに挿入される。回転係止爪部３２は挿入後，本体上部ケース１の上部ケース側係止部１１に当たりストッパーになり、表示ユニットＢの脱落防止となる。
【００４３】
この時、図１３に示すように表示ユニットＢに装着されたダンパー２６の摺動部２６ｂが上側ダンパー開放部９ａに至り、その圧縮変形より開放される。この時、表示ユニットＢの姿勢が最大角度になる。
【００４４】
さらに、図１４のように、表示ユニットＢは、その表示部２７が本体上部ケース１の操作部Ａ１に対し平行になるまで後に倒すことができる（表示ユニットＢの姿勢が最小角度）。この時、ダンパー２６の摺動部２６ｂが変形しながらダンパー受部９のダンパー受側摺動部９ｂを摺動し、図１５に示すように、摺動部２６ｂは下側ダンパー開放部９ｃに至り圧縮変形より開放される。
【００４５】
上記した図１３から図１５に至る間、ダンパー２６の摺動部２６ｂはダンパー受部９のダンパー受側摺動部９ｂにより圧縮変形を受けるために、その反力による摩擦力が、表示ユニットＢが重力により倒れないように作用し、無段階で表示ユニットＢの使用者に対する角度を保つことができる。
【００４６】
また、表示ユニットＢを装置本体Ａから取外す際は、上記の図１２において、回転係止爪部３２を保持するばね片部３１のばね性を利用し、回転係止爪部３２を本体上部ケース１の内部方向へ押し、開口部１１ｂの上部ケース側係止部１１ｄを避けながら手前に引き、上記手順を逆に行うことにより簡単に分解することができる。
【００４７】
以上詳述したように、本発明の実施の形態によれば、表示ユニットＢを、装置本体Ａに対して垂直に保持し、表示ユニットＢの回転軸２８及び回転支承部２９を装置本体Ａの軸誘込部１４に挿入し、表示ユニットを引き上げるようにして回転軸２８を上側軸受１２に接触させ、表示ユニットＢを、回転軸２８を支点として装置本体Ａ後方へ回転させ、回転支承部２９の摺接部２９Ａを下側軸受１３の受部１３ａに摺接させることで回転支点部Ｆを形成することができ、また、上記手順を逆に行うことにより表示ユニットＢを装置本体Ａから簡単に分解することができる。このように、組立性及び分解性が良く、リサイクルを容易に行うことができる。
【００４８】
また、ストッパー手段により表示ユニットＢの脱落を阻止することができるし、また、表示ユニットＢを装置本体Ａから取外す際は、回転係止爪部３２を保持するばね片部３１のばね性を利用し、回転係止爪部３２を装置本体Ａ内部方向へ押し、回転係止爪部３２を、開口部１１ｂの上部ケース側係止部１１ｄを避けながら手前に引くことにより簡単に分解することができる。このように、組立性及び分解性が良く、リサイクルを容易に行うことができる。
【００４９】
また、図１０に示すように、本体上部ケース１において、下側軸受１３を上側軸受１２に対して表示ユニット装着部８の中心側にずらし、軸回転空間としての軸誘込部１４を設けることにより、本体上部ケース１を作成する金型において分割等の必要性が無くなる。また、軸鉛直方向に軸誘込部１４を設けることにより、装置本体１の後方より表示ユニットＢの回転軸２８及び回転支承部２９を簡単に挿入することができる。
【００５０】
ダンパー２６はダンパー受側摺動部９ｂにより圧縮変形を受けるために、その反力による摩擦力が、表示ユニットＢが重力により倒れないように作用し、無段階で表示ユニットＢの使用者に対する角度を保つことができる。そして、表示ユニットＢの姿勢が最大角度になると、ダンパー２６が上側ダンパー開放部９ａに至り、その圧縮変形より開放されるし、表示ユニットＢの姿勢が最小角度になると、ダンパー２６が下側ダンパー開放部９ｃに至り、その圧縮変形より開放される。このように、表示ユニットＢを安定した動作で無段階にチルトさせることができる。
【００５１】
また、ダンパー２６を凹部３３ａに挿入して装着孔２６ｃに装着軸３３ｂを挿入してダンパー２６をダンパー装着部３３に装着することができるし、上記手順を逆に行うことによりダンパー２６をダンパー装着部３３から簡単に分解することができる。このように、組立性及び分解性が良く、リサイクルを容易に行うことができる。
【産業上の利用可能性】
【００５２】
本発明によれば、表示ユニットを安定した動作で無段階にチルトさせることができるし、また、部品点数が少なく安価となり、さらに構造が簡単で組立性及び分解性が良く、リサイクルを容易に行うことができるという効果を有し、情報通信における通信端末装置としての電子機器、その他の電子機器であって、表示ユニットを備えた電子機器に有用である。
【図面の簡単な説明】
【００５３】
【図１】本発明の電子機器としての通信端末装置の斜視図である。
【図２】同通信端末装置の本体上部ケースの斜視図である。
【図３】同本体上部ケースにおける表示ユニット装着部の平面図である。
【図４】本発明の電子機器としての通信端末装置の表示ユニットの斜視図である。
【図５】同表示ユニットの分解状態の斜視図である。
【図６】ダンパーの斜視図である。
【図７】表示ユニットの装置本体への組立順序の説明において組立前の状態の説明図である。
【図８】表示ユニットの装置本体への組立順序の説明において組立て初期の状態の説明図である。
【図９】表示ユニットの装置本体への組立順序の説明において組立状態の説明図である。
【図１０】図９のＹ−Ｙ線に沿う断面図である。
【図１１】表示ユニットの装置本体への組立順序の説明図である。
【図１２】表示ユニットの装置本体への組立順序の説明図である。
【図１３】表示ユニットの装置本体への組立順序の説明図である。
【図１４】表示ユニットの装置本体への組立順序の説明図である。
【図１５】表示ユニットの装置本体への組立順序の説明図である。
【符号の説明】
【００５４】
Ａ      装置本体
Ａ１    操作部
Ｂ      表示ユニット
Ｆ      回転支点部
１      本体上部ケース
２      本体下部ケース
８      表示ユニット装着部
９      ダンパー受部（装置本体側摺動部）
９ａ    上側ダンパー開放部（一方のダンパー開放部）
９ｂ    ダンパー受側摺動部
９ｃ    下側ダンパー開放部（他方のダンパー開放部）
１０    収容凹部
１１    爪移動部
１１ｂ  開口部
１１ｄ  上部ケース側係止部（ストッパー手段）
１１ｅ  係止部
１２    上側軸受（一方の軸受）
１３    下側軸受（他方の軸受）
１３ａ  受部
１４    軸誘込部
２０    ＬＣＤ上部ケース
２５    ＬＣＤ下部ケース
２６    ダンパー（ユニット側摺動部）
２６ｂ  摺動部（ダンパーの一部）（ユニット側摺動部）
２７    表示部
２８    回転軸
２９    回転支承部
２９Ａ  摺接部
３０    挿入部
３１    ばね片部（ストッパー手段）
３２    回転係止爪部（ストッパー手段）
３３    ダンパー装着部（ユニット側摺動部）
３３ａ  凹部
３３ｂ  装着軸
【図１】
2007310070.tif 000003
【図２】
2007310070.tif 000004
【図３】
2007310070.tif 000005
【図４】
2007310070.tif 000006
【図５】
2007310070.tif 000007
【図６】
2007310070.tif 000008
【図７】
2007310070.tif 000009
【図８】
2007310070.tif 000010
【図９】
2007310070.tif 000011
【図１０】
2007310070.tif 000012
【図１１】
2007310070.tif 000013
【図１２】
2007310070.tif 000014
【図１３】
2007310070.tif 000015
【図１４】
2007310070.tif 000016
【図１５】
2007310070.tif 000017